(57)【要約】      （修正有）【課題】電線を自在な形状に固定できる電線及び通信線の提供。【解決手段】電力線２ａ，２ｂの中間に電線固定用の塑性材料からなる線材４，４ｂ，４ａを延設したものであり，電力線２ａ，２ｂと線材４，４ｂ，４ａは，絶縁被膜３により電気的に絶縁，隔離されて配置されている。通信線も含めた電線を自在な形状に固定でき，電機機器への電源線等の取付部分において，余長を水平方向だけではなく垂直方向にも処理できるようになり，取付部分の清掃もし易く，また，デッドスペースも少なくなるという効果が得られる。【選択図】図２
2009170139.tif 000002
【特許請求の範囲】
【請求項１】
低電圧用電線であり，前記電線の絶縁被覆の内部で，塑性材料からなる線材又は網目状管の１本又は複数本を，前記電線の長手方向に，前記電線の全長に又は一部分で散在的に，前記電線内の充電部分と接触しないように延設することを特徴とする電線。
【請求項２】
前記塑性材料を金属とすることを特徴とする請求項１の電線。
【請求項３】
通信線であり，前記通信線の被覆の内部で，塑性材料からなる線材又は網目状管の１本又は複数本を，前記通信線の長手方向に，前記通信線の全長又は一部分に散在的に，前記通信線内で信号を伝送する弱電流電線又は光ファイバと接触しないように延設することを特徴とする通信線。
【請求項４】
前記塑性材料を金属とすることを特徴とする請求項３の通信線。
【発明の詳細な説明】
【技術分野】
【０００１】
本発明は，電線や通信線を自在な形状に固定できるようにすることで，電気機器への電源線の取付部分や通信機器への通信線の取付部分をすっきり整理し，清掃の容易化や場所の有効活用を図るものである。
【背景技術】
【０００２】
これまで，電線や通信線は可撓性を持たせることを常としてきた。これは，自由な形状とすることで電線等の挿通・配置や余長の処理等を容易に行うためと考えられる。
【０００３】
しかし，可撓性を持たせることによって，電気機器への電源線の取付部分によく見られるように，電源線の余長処理がすっきり整理されず，よって，この周囲の清掃がしづらく，デッドスペースも取られる等の悪い面が見られる。
【発明の開示】
【発明が解決しようとする課題】
【０００４】
このような悪い面を緩和するために，例えば，電源線を巻き取るような機構を備えた電気機器も存在するが，広く採用されてはおらず，また，この電源線自体に何らかの工夫が施されたものを，本願の発明者や出願人は寡聞にして知らない。
【０００５】
そのため，通信線も含めた電線を自在な形状に固定できるようにすれば，電機機器への電源線等の取付部分において，余長を水平方向だけではなく垂直方向にも処理できるようになり，取付部分の清掃もし易く，また，デッドスペースも少なくなる。
【課題を解決するための手段】
【０００６】
つまり，請求項１に係る電線は，１００Ｖ等の低電圧用電線であり，前記電線の絶縁被覆の内部において，塑性材料からなる線材，又は塑性材料からなる網目状（メッシュ状）に形成した管の１本又は複数本を，前記電線の長手方向に，電線の全長に又は一部分に散在的に，電力が流れて充電している導線と接触しないように延設することを特徴とするものである。
【０００７】
請求項２に係る電線は，前記電線内部に延設する線材又は管の塑性材料を金属とすることを特徴とするものである。
【０００８】
また，請求項３に係る通信線は，請求項１に係る電線と同じように，通信線被覆の内部に，塑性材料からなる線材又は網目状管の１本又は複数本を，通信線の長手方向に，通信線の全長又は一部分に散在的に，前記通信線の被覆内部に延設される信号を伝送する弱電流電線又は光ファイバと接触しないように延設することを特徴とするものである。
【０００９】
更に，請求項４に係る通信線は，通信線内部に延設する線材又は管の塑性材料を金属とすることを特徴とするものである。
【発明の効果】
【００１０】
本発明の実施により，通信線も含めた電線を自在な形状に固定でき，電機機器への電源線等の取付部分において，余長を水平方向だけではなく垂直方向にも処理できるようになり，取付部分の清掃もし易く，また，デッドスペースも少なくなるという効果が得られる。
【発明を実施するための最良の形態】
【００１１】
以下、本発明の実施の形態を、図面に基づき説明する。
（実施例１）
【００１２】
図１は，従来からの電線１００の断面図である。通常，細い金属線をより合わせて形成される電力線（導線）２ａ，２ｂが絶縁被覆３により隔離され電気絶縁されている。
【００１３】
一方，図２は，本願発明に係る電線１の断面図である。図２（ａ）においては，電力線２ａ，２ｂの中間に電線固定用の塑性材料からなる線材４を延設したものであり，電力線２ａ，２ｂと線材４は，絶縁被膜３により電気的に絶縁，隔離されて配置されている。電力線２は２本に限る必要はなく，例えば図２（ｂ）で示す電線１は，電力線２が１本の場合のものである。線材４も，また，１本に限る必要はなく，例えば図２（ｃ）で示す電線１は，線材４ａ，４ｂと２本の場合のものであり，また，この場合，電線１の断面を円状とすることができる。更に，線材４も丸型断面に限る必要は無く，図２（ｄ）で示す電線１は，線材４を平方断面にしたものである。また，電力線２は交流に限らず，直流を流すものであってもかまわない。
【００１４】
図３は，線材ではなく，網目状（メッシュ状）に形成した管を用いたものである。つまり，電力線２ａ，２ｂの外側に網目状の管５を延設し，その管５の内側で絶縁被覆３ａにより，また外側で絶縁被覆３ｂにより，電力線２ａ，２ｂと管５を固定，絶縁するものである。
【００１５】
なお，電線寿命中に電線の形状を何回か変更することから，線材４や管５の塑性材料は，容易に脆性破壊しない材質（例えば金属）のものとすることが必要である。
（実施例２）
【００１６】
これまでは，断面形状について説明したが，以下では，電線の長手方向への電線固定用の塑性材料からなる線材４又は網目状の管５の延設のバリエーションについて説明する。電線といっても無限長のものはなく，ある一定の長さで区切られる。例えば，家電製品での電源コードや電源コンセントなどは数十センチメートルから数メートルの長さである。このような区切られた電線では，全長で線材４又は網目状の管５を延設する場合もあり得るが，例えば，両端にこれらを延設する方がよい場合もある。つまり，垂直方向に電線を折り曲げて固定する等の必要があるのは，電線の端部である場合が多く，中間部は従来のとおり可撓性を持たせた方が取り扱いやすいからである。
【００１７】
この考えを適用したのが図４に示すコンセント６に使用されている電線９である。コンセント６はプラグ７とコンセント本体８を電線９の両端に配置している。電線９は，内部で線材４又は管５が全長に延設されてなる電線１ａ，１ｂと従来からの電線１００から構成されるものである。電線１ａはプラグ７と，電線１ｂはコンセント本体８とそれぞれつながり，その中間は従来からの電線１００となっている。これにより，実際に人目に触れ，また，人手で活用することの多いプラグ７やコンセント本体８の近傍の電線１ａ，１ｂは，必要に応じて垂直方向に折り曲げて固定することができ，無駄なスペースを取らず，清掃等もやりやすくなる。また，中間部の電線１００は，住宅においては絨毯下等に，オフィスにおいては机上のダクトや床下のフリースペース等に敷設することが多いことから，可撓性を持つ方が有利である。
【００１８】
図５は，コンセント６の電線１０において，線材４又は管５を散在的に複数延設したものであり（延設した部分は１ａ，１ｂ，１ｃ，１ｄ，１ｅであり，この部分は全長で延設されている），場合によっては，このような電線１０の方が，図４のコンセント６よりも取り扱いやすい場合もある。
（実施例３）
【００１９】
無駄なスペースをなくする観点から，従前からの電線の両端に取付られているプラグ及び／又はプラグコネクターに接続できるように，本願発明に係る電線１で短い長さのもの両端にプラグ及び／又はプラグコネクターを接続した接続器具１１も考えられる。つまり，電気機器の近傍でこの接続器具１１を従来の電線に接続することで，電気機器の近傍でのスペースを無駄にしないようできる。
【００２０】
図６（ａ）は，低圧１００Ｖで用いられるプラグ７とプラグコネクター（コンセント）８を電線１の両端に設置した接続器具１１である。また，図６（ｂ）は，ノートパソコン１２に直流電源を供給するコネクター１３とそれを接続できるコネクター１４を電線１の両端に設置した接続器具１５である。
（実施例４）
【００２１】
電線と同様に，通信線の場合でも，通信線の長手方向への通信線固定用の塑性材料からなる線材４又は網目状の管５の延設により，同様の効果を得ることが可能である。
【００２２】
本願発明に係る電線１と通信線１６を用いた事例を図７に示す。机上においたノートパソコン１２には，電力供給線，インターネット等に接続するためのＬＡＮ等の通信線，又は，場合によっては外部記憶装置等とＵＳＢにて接続するケーブルが接続される。図７（ａ）は，従来の電線１００と通信線２００を使用した場合であり，電線１００や通信線２００は輪状にまとめて処理するか，机に内蔵されているラックに収納することになるが，机上の水平方向に電線１００や通信線２００が配設されることから，机上のこの部分の清掃が容易でなく，場所も取ってしまう。これに対して図７（ｂ）は，接続器具１５等を使用した場合であり，垂直方向にくの字型に余長を処理可能なため，水平方向でスペースをとらず，清掃も行いやすい。
【図面の簡単な説明】
【００２３】
【図１】従来からの電線の断面図。
【図２】本願発明に係る電線の断面図。
【図３】本願発明に係る電線の断面図。
【図４】コンセントへの使用例（電線の一部分で線材又は管を延設する場合）。
【図５】コンセントへの使用例（電線の一部分で線材又は管を散在的に延設する場合）。
【図６】コネクタ等へ使用例（電線全長で線材又は管を延設する場合）。
【図７】机上のパソコンへの適用例。
【符号の説明】
【００２４】
１７  ＡＣ／ＤＣアダプター
１８  配線ダクト口
【図１】
2009170139.tif 000003
【図２】
2009170139.tif 000004
【図３】
2009170139.tif 000005
【図４】
2009170139.tif 000006
【図５】
2009170139.tif 000007
【図６】
2009170139.tif 000008
【図７】
2009170139.tif 000009